(57)【特許請求の範囲】
【請求項１】
脚体と、該脚体に設けられ上方に延びる支柱と、該支柱に支持される棚板と、を備えた棚装置であって、
前記支柱の外周面に、該支柱の中心線から放射方向に向けて開口し軸方向に延設された溝部が、周方向に複数形成されており、前端が前記放射方向に延びるブラケットが、周方向に隣り合った前記溝部に支持され、前記棚板は、該ブラケットを介し前記支柱に取外し可能に支持され、前記棚板の下面及び前記ブラケットの上面のうちいずれか一方に設けられ、上下方向に向けて開口する大径部及び該大径部に連続して開口する小径部から成る互いに略平行に配置された一対の長孔と、前記棚板の下面及び前記ブラケットの上面のうち他方に設けられ、前記大径部に挿通可能、かつ小径部に係止可能に形成された上下方向に延びる一対の係止片と、から成る位置決め手段を備え、
前記係止片を前記大径部側に挿通した状態で、前記棚板を前記支柱に向けてスライド移動することで前記係止片が前記小径部に係止され、前記棚板が前記ブラケットに対し位置決めされることを特徴とする棚装置。
【請求項２】
前記棚板の後端部に、前記支柱の外周面に沿って切り欠かれた切欠き部が形成されており、前記位置決め手段により前記棚板が前記ブラケットに対し位置決めされた状態で、前記切欠き部が前記支柱の外周面に当接することを特徴とする請求項１に記載の棚装置。
【請求項３】
前記棚板の下面若しくは前記ブラケットの上面に取付凹部が形成されるとともに、前記長孔が形成された取付具が前記取付凹部を被覆しており、前記取付具は、前記長孔の前記大径部側の内面が前記小径部側の内面よりも前記取付凹部の底面に対し離間し、且つ前記取付具の内面が、前記長孔の大径部側から小径部側にかけて前記取付凹部の底面に対し傾斜した傾斜面であって、
前記係止片は、前記大径部よりも小径で且つ前記小径部よりも大径の頭部を有し、
前記棚板は、前記係止片の頭部が前記長孔の前記大径部側で嵌合された状態で、該棚板を移動させ、前記係止片の頭部が前記長孔の前記小径部側で嵌合された状態で、前記取付凹部の底面と前記取付具の内面との間で保持されて、前記ブラケットに対し位置決めされることを特徴とする請求項１または２に記載の棚装置。
【請求項４】
前記位置決め手段の長孔若しくは係止片が、前記ブラケットの後部において設けられているとともに、手動により取外し可能な止着具が、前記ブラケットの前部と前記棚板とを連結していることを特徴とする請求項１ないし３のいずれかに記載の棚装置。
【発明の詳細な説明】
【技術分野】
【０００１】
本発明は、脚体と、この脚体に固着され上方に延びる支柱と、この支柱に支持される棚板と、を備えた棚装置に関する。
【背景技術】
【０００２】
従来の棚装置は、前面に開口する溝部を有した左右一対の支柱に対し、前方に延びるブラケットがそれぞれ支持されており、このように幅方向に離間し前後方向に延びるブラケットに対し、棚板を位置決めするとともに、有頭ねじ等の取付手段により取付け、棚板を安定的に支持している（例えば、特許文献１参照）。
【０００３】
【特許文献１】特開２０００−３４５６０９号公報（第３頁、第１図）
【発明の開示】
【発明が解決しようとする課題】
【０００４】
しかしながら、特許文献１にあっては、安定性の確保のために左右方向に離間して立設した支柱に対し、棚板の左右両側部をそれぞれ位置決めする必要があるため、これら支柱の離間寸法若しくはブラケットの取付けに一定の精度が要求され、棚板の取付けに際し手間がかかる虞が生じていた。
【０００５】
本発明は、このような問題点に着目してなされたもので、棚板を安定的に且つ容易に支持することができる棚装置を提供することを目的とする。
【課題を解決するための手段】
【０００６】
上記課題を解決するために、本発明の請求項１に記載の棚装置は、脚体と、該脚体に設けられ上方に延びる支柱と、該支柱に支持される棚板と、を備えた棚装置であって、
前記支柱の外周面に、該支柱の中心線から放射方向に向けて開口し軸方向に延設された溝部が、周方向に複数形成されており、前端が前記放射方向に延びるブラケットが、周方向に隣り合った前記溝部に支持され、前記棚板は、該ブラケットを介し前記支柱に取外し可能に支持され、前記棚板の下面及び前記ブラケットの上面のうちいずれか一方に設けられ、上下方向に向けて開口する大径部及び該大径部に連続して開口する小径部から成る互いに略平行に配置された一対の長孔と、前記棚板の下面及び前記ブラケットの上面のうち他方に設けられ、前記大径部に挿通可能、かつ小径部に係止可能に形成された上下方向に延びる一対の係止片と、から成る位置決め手段を備え、前記係止片を前記大径部側に挿通した状態で、前記棚板を前記支柱に向けてスライド移動することで前記係止片が前記小径部に係止され、前記棚板が前記ブラケットに対し位置決めされることを特徴としている。
この特徴によれば、支柱の周方向に隣り合った溝部に支持され、それぞれ放射方向に延びる一対のブラケットが、前後方向且つ左右方向に延びる上面視略ハ字形状に配置されることで、一本の支柱に対し上面視略ハ字形状に支持された一対のブラケットにより、棚板を前後方向及び左右方向に安定的に、且つ容易に支持できる。また、ブラケットを支持している溝部を、棚板の正面視において正面位置を避けて配置できるため、棚板上の載置物が溝部内に混入してしまうことを防止できるばかりか、棚板の取付けに供する溝部が視認し難くなり、目立つことなく外観体裁が良い。更に係止片が大径部に挿通されるようにブラケットの上面に棚板を載置した後、該棚板を支柱に向けてスライド移動するだけで、係止片を小径部に確実に係止させることができるため、上面視略ハ字形状に配置される一対のブラケットに対して棚板を簡単に位置決めすることができる。
【０００８】
本発明の請求項２に記載の棚装置は、請求項１に記載の棚装置であって、
前記棚板の後端部に、前記支柱の外周面に沿って切り欠かれた切欠き部が形成されており、前記位置決め手段により前記棚板が前記ブラケットに対し位置決めされた状態で、前記切欠き部が前記支柱の外周面に当接することを特徴としている。
この特徴によれば、棚板の後端部に形成された切欠き部を目印にして、この切欠き部が支柱の外周面に当接する方向に棚板をスライド移動するだけで、ブラケットに対し棚板を容易に位置決めできる。
【０００９】
本発明の請求項３に記載の棚装置は、請求項１または２に記載の棚装置であって、
前記棚板の下面若しくは前記ブラケットの上面に取付凹部が形成されるとともに、前記長孔が形成された取付具が前記取付凹部を被覆しており、前記取付具は、前記長孔の前記大径部側の内面が前記小径部側の内面よりも前記取付凹部の底面に対し離間し、且つ前記取付具の内面が、前記長孔の大径部側から小径部側にかけて前記取付凹部の底面に対し傾斜した傾斜面であって、
前記係止片は、前記大径部よりも小径で且つ前記小径部よりも大径の頭部を有し、
前記棚板は、前記係止片の頭部が前記長孔の前記大径部側で嵌合された状態で、該棚板を移動させ、前記係止片の頭部が前記長孔の前記小径部側で嵌合された状態で、前記取付凹部の底面と前記取付具の内面との間で保持されて、前記ブラケットに対し位置決めされることを特徴としている。
この特徴によれば、棚板を移動させるだけで、取付凹部の底面と取付具の内面との間で保持させ、この保持によりブラケットに対し棚板を位置決めできるため、例えば支柱の上端部に天板を設けた場合でも、棚板を容易にブラケットに取付けることができる。また長孔の大径部側において係止片の頭部が嵌合されている棚板を、取付凹部の底面に対し傾斜した傾斜面である取付具の内面に沿ってスムーズに移動できるばかりか、棚板の移動を利用して、傾斜面により漸次小さくなる取付凹部の底面と取付具の内面との対向面間に、係止片の頭部を挟み保持することができる。
【００１０】
本発明の請求項４に記載の棚装置は、請求項１ないし３のいずれかに記載の棚装置であって、
前記位置決め手段の長孔若しくは係止片が、前記ブラケットの後部において設けられているとともに、手動により取外し可能な止着具が、前記ブラケットの前部と前記棚板とを連結していることを特徴としている。
この特徴によれば、ブラケットの後部において設けられた長孔若しくは係止片に加え、手動により取外し可能な止着具を用いて、取付け易いブラケットの前部において、ブラケットと棚板とを簡単に連結することができる。
【発明を実施するための最良の形態】
【００１１】
本発明の実施例を以下に説明する。
【実施例】
【００１２】
本発明の実施例を図面に基づいて説明すると、先ず図１は、本発明の実施例における棚装置の全体像を示す斜視図である。図２（ａ）は、（ｂ）のＡ−Ａ断面図であり、（ｂ）は、支柱の溝部を正面視した図である。図３（ａ）は、ブラケットの側面図であり、（ｂ）は、同じく上面図である。図４（ａ）は、棚板の下面図であり、（ｂ）は、（ａ）のＢ−Ｂ断面図である。図５（ａ）は、棚板をブラケットに載置する状況を示す一部断面図であり、（ｂ）は、棚板をブラケットに取付ける状況を示す一部断面図である。図６（ａ）は、棚装置の正面図であり、（ｂ）は、（ａ）の点線囲い部の拡大図である。図７は、本発明の変形例における棚装置を示す一部断面図である。
【００１３】
図１の符号１は、本発明の適用された棚装置である。棚装置１は、脚体４と、この脚体４に設けられ上方に延びる支柱３と、この支柱３に支持される棚板６と、から主として構成される。支柱３の上下方向には溝部１０が延設されており、支柱３における任意の高さ位置で、後述のようにブラケット７を取付けるとともに、このブラケット７に対し棚板６を支持する。
【００１４】
支柱３の上端には、略中央部が固着された天板２が設けられており、その後辺に沿って把手１４が備えられている。脚体４は斜め四方に延び、それぞれの先端には上下方向に回動軸が枢支された回動体５が取付けられ、このようにすることで、棚装置１は、床面上を自在に移動できるように成っている。以下、平面視天板２の前辺側を前方側、把手１４が備えられた後辺側を後方側とし、左辺側を左方側、右辺側を右方側として、棚装置１における前後左右の方向を述べる。
【００１５】
次に、棚装置１の各部材の構造について説明する。
【００１６】
図１及び図２（ａ）、（ｂ）に示されるように、支柱３は、その外周面が横断面視略円形に形成されるとともに、外周面に支柱３の中心線から放射方向に向けて開口する外向きコ字状であって軸方向に亘って延設された溝部１０が、周方向に９０度の等間隔で４条形成されている。そして各溝部１０には、断面視略コ字状であって、上下方向に開口部１１ａが等間隔に連設されたサポート材１１が嵌挿されている。このようにサポート材１１が嵌挿された状態において、開口部１１ａは、溝部１０と同様に支柱３の中心線から放射方向に向けて開口している。また、サポート材１１は、支柱３の径方向に螺挿されたネジ１１ｂにより溝部１０に固着される。
【００１７】
また、支柱３は、アルミニウム材等を上下方向に亘って同じ断面形状の押し出し成型にすることで形成されている。このようにすることで、支柱３の上下両端に至るまで溝部１０を形成でき、棚板６の取付け高さ位置の自由度が増すばかりか、支柱３の強度を軸方向に均等に保てる。
【００１８】
図１及び図３（ａ）、（ｂ）に示されるように、ブラケット７は、側面視略Ｌ字形状に形成される部材であって、その後面には、後方且つ先端が下方に向かって延びる鉤部７ａが、上記したサポート材１１の開口部１１ａと略同じ間隔に上下方向に３箇所形成されている。また、ブラケット７上面の後部のネジ孔７ｂには、上方に向かって延びる係止片８が螺挿されており、前部にはネジ孔７ｃが形成されている。また、係止片８は、後述する棚板６下面に形成された長孔１２ａの大径部よりも小径で且つ小径部よりも大径の頭部８ａを有する。
【００１９】
図１及び図４（ａ）、（ｂ）に示されるように、棚板６は、下面視（上面視）左右幅方向に長寸の略長方形状であって、後辺（図示下辺）の中央部に、支柱３の外周面と同径の半円形に切り欠かれた切欠き部６ａが形成されている。また、棚板６下面における後辺側の中央部寄りの２箇所に、前後方向に長寸であって底面６ｃを有する一対の取付凹部６ｂが形成されている。そして、これら取付凹部６ｂをそれぞれ被覆するように、取付凹部６ｂの底面６ｃに連通し上下方向を向いて開口する長孔１２ａを有する取付具１２が、棚板６下面に止めネジ１３により一対に取付けられており、この長孔１２ａと前記したブラケット７の係止片８とにより位置決め手段を構成している。また、棚板６下面の左右側辺寄りの略中央にネジ孔６ｄが形成され、棚板６上面の前辺側に左右方向に把手枠１５が設けられている。
【００２０】
図４（ａ）、（ｂ）に示されるように、棚板６の下面で取付凹部６ｂを被覆している取付具１２について具体的に説明すると、長孔１２ａは、前後方向に向かって長寸に開口しているとともに、長孔１２ａにおける棚板６の後辺側が前辺側よりも漸次大径に成るように形成されており、更に長孔１２ａは、取付凹部６ｂの底面６ｃに連通している。棚板６の左右両側に形成された長孔１２ａ、１２ａ同士は、略平行であって、且つ棚板６の短辺に略平行に配置される。また、取付具１２は、長孔１２ａの周縁部における棚板６後辺側の内面１２ｃが、棚板６前辺側の内面１２ｂよりも取付凹部６ｂの底面６ｃに対し離間している。更に、内面１２ｃから内面１２ｂにかけて取付凹部６ｂの底面６ｃに対し傾斜した傾斜面に成っている。また、取付具１２は、取付具１２の外面が棚板６の下面と略面一に位置するように、棚板６に設けられている。
【００２１】
次に、棚板６の組み付けについて説明する。
【００２２】
図１、図３（ａ）、及び図５（ａ）、（ｂ）に示されるように、支柱３における任意の同じ高さ位置で、周方向に隣り合った溝部１０に嵌挿したサポート材１１の開口部１１ａに、ブラケット７の後端に上下方向に３箇所形成された鉤部７ａをそれぞれ嵌合する。この嵌合により支柱３に支持されたブラケット７は、前後方向且つ左右方向に延び、平面視略ハ字形状に形成される。開口部１１ａは鉤部７ａよりも上下方向に僅かに大きく開口し、鉤部７ａの先端を開口部１１ａに支柱３の径方向に挿入してから下方に落とし込むことで、ブラケット７が開口部１１ａに嵌合される。
【００２３】
次に、図１及び図５（ａ）に示されるように、棚板６の切欠き部６ａを支柱３の外周面に沿わせるようにして下方に降ろし、棚板６の下面をブラケット７の上面に載置するようにして棚板６をブラケット７に取付ける。具体的には、棚板６の下面に設けられた長孔１２ａにおける棚板６後辺側に形成された大径部に、上方に突設された係止片８の頭部８ａを嵌合させる。前記大径部は、小径部よりも開口径が大きく、また取付凹部６ｂの底面６ｃと、大径部における内面１２ｃとの離間寸法を比較的大きく取ってあるため、係止片８の頭部８ａを嵌合し易い。
【００２４】
そして上記のように、係止片８の頭部８ａが長孔１２ａにおける前記大径部に嵌合された状態で、図１及び図５（ｂ）に示されるように、棚板６を後方側に向かって、より具体的には切欠き部６ａが支柱３の外周面に当接する方向にスライド移動させ、係止片８の頭部８ａが長孔１２ａにおける小径部に嵌合された状態にすることで、係止片８が、比較的離間寸法の小さい取付凹部の底面６ｃと小径部における内面１２ｂとの間で保持される。このように、棚板６を後方にスライド移動させるだけで、取付凹部６ｂの底面６ｃと、取付具１２の内面１２ｂとの間で保持させ、この保持によりブラケット７に対し棚板６を位置決めできるため、本実施例のように、支柱３の上端部に天板２を設けた場合でも、天板２下方の取付け難い箇所においても棚板６を容易にブラケット７に取付けることができる。更に、長孔１２ａの小径部よりも大径である係止片８の頭部８ａが、この小径部に嵌合されていることで、棚板６が係止片８の軸方向に抜け出してしまうことがない。
【００２５】
また、このように、係止片８が長孔１２ａの大径部に挿通されるようにブラケット７の上面に棚板６を載置した後、棚板６を支柱３に向けてスライド移動するだけで、係止片８を長孔１２ａの小径部に確実に係止させることができるため、上面視略ハ字形状に配置される一対のブラケット７、７に対して棚板を簡単に位置決めすることができる。
【００２６】
さらに、棚板６により、係止片８は隠れて見えなくなるが、２つの平行な長孔１２ａ、１２ａは、棚板６の短辺に平行に前後方向に開口しているため、上面視略ハ字形状に形成されるブラケット７、７に対し、棚板６を後方、すなわち支柱３に向けてスライド移動させるだけで棚板６を位置決めできる。
【００２７】
また、このように、棚板６の後端部に形成された切欠き部６ａを目印にして、この切欠き部６ａが支柱３の外周面に当接する方向に棚板６をスライド移動するだけで、ブラケット７に対し棚板６を容易に位置決めできる。
【００２８】
また棚板６が、ブラケット７後端側、すなわち支柱３側に向けて移動した位置においてブラケット７により支持されるため、棚板６、及び棚板６に載置する載置物の重量により支柱３にかかるモーメントを抑えることができる。
【００２９】
更に、このように、長孔１２ａの大径部側において係止片８が嵌合されている棚板６を、取付凹部６ｂの底面６ｃに対し傾斜した傾斜面である取付具１２の内面１２ｃ、１２ｂに沿ってスムーズに移動できるばかりか、棚板６の移動を利用して、傾斜面により漸次小さくなる取付凹部６ｂの底面６ｃと取付具１２の内面１２ｂとの対向面間に、係止片８を挟み保持することができる。また、長孔１２ａの大径部側で係止片８が嵌合されている棚板６を、ブラケット７後端側に向けて移動するだけで、ブラケット７後端側から前端側にかけて漸次小径に成るように開口した長孔１２ａを備えた棚板６を、ブラケット７に固定に設けられた係止片８に沿って左右方向に調整移動することができる。
【００３０】
また、取付具１２の外面が棚板６の下面と略面一に配置されているため、棚板６をブラケット７上面で自在に調整移動して、棚板６の下面に設けた取付具１２の長孔１２ａをブラケット７の係止片８に嵌合させることができる。
【００３１】
図５（ｂ）に示されるように、上述のように棚板６を移動することで、棚板６下面に形成されたネジ孔６ｄと、ブラケット７上面を貫通したネジ孔７ｃとが、同軸に配置されることになり、手動により取外し可能な止着具１６を、ブラケット７下面側から取付け、ブラケット７と棚板６とを連結する。このようにすることで、位置決め手段を構成するブラケット７の後部において設けられた長孔１２ａに加え、手動により取外し可能な止着具１６を用いて、取付け易いブラケット７の前部において、ブラケット７と棚板６とを簡単に連結することができる。
【００３２】
上述したように、支柱３の周方向に隣り合った溝部１０に支持され、それぞれ放射方向に延びる一対のブラケット７、７が、前後方向且つ左右方向に延びる上面視略ハ字形状に配置されることで（図１、図７参照）、一本の支柱３に対し上面視略ハ字形状に支持された一対のブラケット７、７により、棚板６を前後方向及び左右方向に安定的に、且つ容易に支持できる。
【００３３】
また、棚板６が一対のブラケット７、７に対し支持され、すなわち棚板６及びブラケット７、７が一体化するために、一対のブラケット７、７のそれぞれが、棚板６を介し互いの動きを規制でき、特段の抜出し防止部材を要することなく、各ブラケット７がサポート材１１の開口部１１ａから抜け出してしまうことを防止できる。
【００３４】
また、図６（ａ）、（ｂ）に示されるように、ブラケット７を支持している溝部１０を、棚板６の正面視において正面位置を避けて配置できるため、棚板６上の載置物が溝部１０内に混入してしまうことを防止できるばかりか、棚板６の取付けに供する溝部１０が視認し難くなり、目立つことなく外観体裁が良い。
【００３５】
また、棚板６は、支柱３の溝部１０に嵌挿されたサポート材１１の上下方向に連設された開口部１１ａの任意の高さ位置に複数枚取付けることができる。更に、周方向に９０度間隔に４箇所形成された溝部１０のうち、正面側の２箇所の溝部１０にブラケット７を設け、このブラケット７に前方に延びる棚板６を設置するのみでなく、この棚板６の上方若しくは下方において、例えば左方側の２箇所にブラケット７を設け、このブラケット７に左方に延びる棚板６を設置してもよい（図７参照）。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、上記実施例では、支柱３の外周面が断面視略円形状であって、この外周面に溝部１０が形成されているが、例えば本発明の変形例として図７に示されるように、支柱２３の外周面が断面視略正方形であって、この外周面の角部に溝部３０が形成されているとともに、支柱３の断面視形状に沿って棚板２６に矩形状の切欠き部２６ａが形成され、棚板２６がブラケットを介して支柱３に取付けられていてもよい。
【００３８】
また、上記実施例では、支柱の外周面に略９０度の等間隔で４条の溝部１０が形成されているが、溝部の間隔の角度若しくは条数は、本実施例に限られず、例えば溝部は、６０度間隔で６箇所形成されていてもよいし、１２０度間隔で３箇所形成されていてもよい。また溝部は、少なくとも２条形成されていればよく、例えば棚装置の左右側若しくは背面側に、溝部が形成されていなくてもよい。
【００３９】
また、上記実施例では、支柱３の外周面に形成された溝部１０に対しサポート材１１が嵌挿され、このサポート材１１に開口された開口部１１ａにブラケット７が取付けられているが、例えば、支柱の外周面に、ブラケットを嵌合可能な開口部が軸方向に連続して形成されていてもよい。
【００４０】
更に、上記実施例では、棚板６の下面に、位置決め手段である長孔１２ａを有する取付具１２が設けられ、ブラケット７上面に、位置決め手段である係止片８が設けられているが、一対の位置決め手段の構成は、本実施例に限られず、例えば、棚板の下面に係止片が設けられるとともに、ブラケット上面に長孔が設けられていてもよい。
【００４１】
また、上記実施例では、支柱３の上端に天板２が固着されているが、例えば天板は、棚板６と同様の構造で支柱３に対しブラケットを介して取付けられていてもよいし、更に、支柱の上端には、天板に替わる他の部材が設けられていてもよい。
【図面の簡単な説明】
【００４２】
【図１】本発明の実施例における棚装置の全体像を示す斜視図である。
【図２】（ａ）は、（ｂ）のＡ−Ａ断面図であり、（ｂ）は、支柱の溝部を正面視した図である。
【図３】（ａ）は、ブラケットの側面図であり、（ｂ）は、同じく上面図である。
【図４】（ａ）は、棚板の下面図であり、（ｂ）は、（ａ）のＢ−Ｂ断面図である。
【図５】（ａ）は、棚板をブラケットに載置する状況を示す一部断面図であり、（ｂ）は、棚板をブラケットに取付ける状況を示す一部断面図である。
【図６】（ａ）は、棚装置の正面図であり、（ｂ）は、（ａ）の点線囲い部の拡大図である。
【図７】本発明の変形例における棚装置を示す一部断面図である。
【符号の説明】
【００４３】
１                棚装置
２                天板
３                支柱
４                脚体
６                棚板
６ａ              切欠き部
６ｂ              取付凹部
６ｃ              底面
７                ブラケット
８                係止片
８ａ              頭部
１０              溝部
１１              サポート材
１１ａ            開口部
１２              取付具
１２ａ            長孔
１２ｂ            内面
１２ｃ            内面
１６              止着具
【図１】
0005174416.tif 000002
【図２】
0005174416.tif 000003
【図３】
0005174416.tif 000004
【図４】
0005174416.tif 000005
【図５】
0005174416.tif 000006
【図６】
0005174416.tif 000007
【図７】
0005174416.tif 000008